(57)【要約】【課題】電話端末の回路規模やコストの増大を抑えつつ着信音の多様化を図る技術を提供する。【解決手段】無線通信により交信する電話端末（10）およびデータ端末（20）を備える。電話端末は、通話の着信を検知する手段（11）と、着信が検知されたときに着信音データをデータ端末へ要求し且つ該要求により取得した着信音データをバッファメモリ（13）へ格納する手段（12）と、バッファメモリの着信音データを用いて音声デバイスにより着信音を鳴動させる手段（14）とを有する。データ端末は、複数種類の着信音データを記憶する手段（21）と、複数種類の着信音データから電話端末の要求に対応する着信音データを読み出して電話端末へ送信する手段（22）とを有する。【選択図】図２
2009177467.tif 000002
【特許請求の範囲】
【請求項１】
無線通信により交信する電話端末およびデータ端末を備え、
前記電話端末は、通話の着信を検知する手段と、着信が検知されたときに着信音データを前記データ端末へ要求し且つ該要求により取得した着信音データをバッファメモリへ格納する手段と、前記バッファメモリの着信音データを用いて音声デバイスにより着信音を鳴動させる手段とを有し、
前記データ端末は、複数種類の着信音データを記憶する手段と、前記複数種類の着信音データから前記電話端末の要求に対応する着信音データを読み出して前記電話端末へ送信する手段とを有することを特徴とする着信音制御システム。
【請求項２】
前記電話端末は、着信が検知されたとき、前記データ端末へ着信音データを要求する前に該データ端末に対し認証要求を発行し、当該認証が成功した場合に前記データ端末へ着信音データを要求することを特徴とする請求項１記載の着信音制御システム。
【請求項３】
前記電話端末は、前記データ端末へ着信音データを要求するとき、取得すべき着信音データを指定し、
前記データ端末は、前記電話端末から指定された着信音データを読み出して送信することを特徴とする請求項１又は２記載の着信音制御システム。
【請求項４】
前記電話端末は、前記取得すべき着信音データをランダムに指定することを特徴とする請求項３記載の着信音制御システム。
【請求項５】
前記データ端末は、前記電話端末から着信音データを要求されたとき、着信音データをランダムに読み出して送信することを特徴とする請求項１又は２記載の着信音制御システム。
【請求項６】
前記電話端末は、通話を無線通信により実行する携帯電話機であることを特徴とする請求項１乃至５のいずれか１項に記載の着信音制御システム。
【請求項７】
電話端末における通話の着信を検知したときに該電話端末からデータ端末に対し無線通信により着信音データを要求し、
前記データ端末に予め記憶された複数種類の着信音データのうち前記電話端末の要求に対応する着信音データを前記データ端末から前記電話端末へ送信し、
前記データ端末からの着信音データを用いて前記電話端末の音声デバイスにより着信音を鳴動させることを特徴とする着信音制御方法。
【請求項８】
前記電話端末における着信が検知されたとき、前記データ端末へ着信音データを要求する前に該データ端末に対し前記電話端末から認証要求を発行し、当該認証が成功した場合に前記電話端末から前記データ端末へ着信音データを要求することを特徴とする請求項７記載の着信音制御方法。
【請求項９】
前記電話端末から前記データ端末へ着信音データを要求するとき、取得すべき着信音データを指定し、
前記電話端末から指定された着信音データを前記データ端末から送信することを特徴とする請求項７又は８記載の着信音制御方法。
【請求項１０】
前記電話端末により取得すべき着信音データを該電話端末がランダムに指定することを特徴とする請求項９記載の着信音制御方法。
【請求項１１】
前記電話端末から前記データ端末に対し着信音データが要求されたとき、前記データ端末が着信音データをランダムに選択して送信することを特徴とする請求項７又は８記載の着信音制御方法。
【発明の詳細な説明】
【技術分野】
【０００１】
本発明は、電話端末の着信音を制御する技術に関する。
【背景技術】
【０００２】
電話端末の着信音は、特定の１種類に限らず、例えば、着信の際の発信元に応じて変化させる等、様々な設定が可能である。このような着信音の制御に関する技術として、例えば、特許文献１に記載のものがある。同文献には、携帯電話機に複数の着信音楽をグループ化して登録しておき、着信が検出される都度、予め指定された順序で着信音楽を再生するという技術が記載されている。
【特許文献１】特開２００２−０５７７４６号公報
【発明の開示】
【発明が解決しようとする課題】
【０００３】
上記文献の技術のように、複数の音楽データを電話端末に登録しておくことにより、着信音の多様化が可能となる。
【０００４】
しかしながら、登録しようとする着信音の種類が増えるに従い、登録に要する記憶領域が増大する。よって、着信音の多様化を図るには、十分な容量を持つ記憶デバイスが必要とされる。これは、特に、携帯電話機のように、回路の小型化や低コストが求められる電話端末には不都合である。
【０００５】
本発明は、上記課題に鑑みてなされたものであり、その目的は、電話端末の回路規模やコストの増大を抑えつつ着信音の多様化を図る技術を提供することにある。
【課題を解決するための手段】
【０００６】
本発明に係る着信音制御システムは、無線通信により交信する電話端末およびデータ端末を備え、前記電話端末は、通話の着信を検知する手段と、着信が検知されたときに着信音データを前記データ端末へ要求し且つ該要求により取得した着信音データをバッファメモリへ格納する手段と、前記バッファメモリの着信音データを用いて音声デバイスにより着信音を鳴動させる手段とを有し、前記データ端末は、複数種類の着信音データを記憶する手段と、前記複数種類の着信音データから前記電話端末の要求に対応する着信音データを読み出して前記電話端末へ送信する手段とを有する。
【０００７】
本発明に係る着信音制御方法は、電話端末における通話の着信を検知したときに該電話端末からデータ端末に対し無線通信により着信音データを要求し、前記データ端末に予め記憶された複数種類の着信音データのうち前記電話端末の要求に対応する着信音データを前記データ端末から前記電話端末へ送信し、前記データ端末からの着信音データを用いて前記電話端末の音声デバイスにより着信音を鳴動させるという方法である。
【発明の効果】
【０００８】
本発明によれば、電話端末の回路規模やコストを抑えつつ、その電話端末において、より多くの着信音を取り扱うことができる。これにより、ユーザの利便性が高められる。
【発明を実施するための最良の形態】
【０００９】
図１に、本発明の実施形態のシステム構成を示す。システム100は、本発明における電話端末としての携帯電話機10と、データ端末としての音楽端末20とを備える。本実施形態の音楽端末20は、iPOD（登録商標）などに代表される携帯型の音楽プレイヤーを想定したものである。
【００１０】
図２に、携帯電話機10及び音楽端末20の機能的な構成を示す。本実施形態において、携帯電話機10及び音楽端末20間の交信には、Bluetooth（登録商標）のような近距離無線通信を利用する。
【００１１】
携帯電話機10において、通話部11は、通話のための通信処理を担い、着信を検知する。着信音取得部12は、着信が検知されたとき、近距離無線通信により着信音データを音楽端末20へ要求する。また、この要求により音楽端末20から取得した着信音データをＲＡＭのバッファメモリ13へ格納する。音声出力部14は、バッファメモリ13にある着信音データをデコード処理してスピーカ15へ出力する。
【００１２】
音楽端末20において、記憶部21は、不揮発性の記憶デバイスであり、着信音として利用可能な音楽や音声を再生するための着信音データを記憶している。この着信音データは、着信音専用のものに限らず、音楽端末20で再生される楽曲を利用することができる。着信音供給部22は、携帯電話機10から着信音データの要求を受けたとき、記憶部21から何れかの着信音データを読み出し、それを近距離無線通信により携帯電話機10へ送信する。
【００１３】
図３に示すフローチャートを参照して、システム100の動作を説明する。携帯電話機10に着信があったとき、それを通話部11が検知して着信音取得部12へ通知する（ステップS1）。
【００１４】
着信音取得部12は、着信を認識すると、着信音に関する事前のユーザ設定が、着信音データを外部から取得する外部モードか否かを判別する。設定が外部モードでない場合（ステップS2：No）、着信音取得部12は、その旨を音声出力部14へ通知する。この場合、音声出力部14は、携帯電話機10に予め登録されている初期設定の着信音データを読み出し（ステップS3）、それをデコードしてスピーカ15へ出力する（ステップS10）。これにより、初期設定の着信音が鳴動する（ステップS11）。
【００１５】
一方、着信音の設定が外部モードである場合（ステップS2：Yes）、携帯電話機10が外部の音楽端末20から着信音データを取得するために、次のように動作する。
【００１６】
まず、携帯電話機10の着信音取得部12が、音楽端末20に対し、着信が発生したことを通知すると共に、認証要求を発行する（ステップS4）。これを受けた音楽端末20の着信音供給部22は、携帯電話機10からの認証要求に応答する（ステップS5）。かかる認証処理を行うことにより、音楽端末20が保持する着信音データを、適切な携帯電話機（10）にのみ供給することができる。また、携帯電話機10のユーザが意図しない音楽端末（20）から着信音データが供給されることを防止できる。
【００１７】
携帯電話機10及び音楽端末20間の認証手続きにあたっては、あらかじめ双方にパスワードを設定しておく。また、音楽端末20には、携帯電話機10を識別するための電話番号などを登録しておく。認証手続きでは、携帯電話機10が音楽端末20に対しパスワードおよび電話番号を送信し、それらについて、音楽端末20が自身の情報と照合する。照合の結果、携帯電話機10からの情報が音楽端末20のものと一致した場合、認証成功の旨を携帯電話機10へ通知する。また、一致しない場合は、認証失敗を通知する。
【００１８】
携帯電話機10の着信音取得部12は、音楽端末20からの認証結果が認証失敗の場合は（ステップS6：No）、音楽端末20との交信を終了し、前述した初期設定の着信音を鳴動させるよう動作する（ステップS3,S10,S11）。
【００１９】
一方、認証が成功した場合（ステップS6：Yes）、着信音取得部12は、音楽端末20に対し着信音データを要求する（ステップS7）。携帯電話機10から音楽端末20に着信音データを要求するとき、そのデータを、予めユーザが設定した特定の順序で指定する、あるいは、ランダムに指定することができる。
【００２０】
具体的には、例えば、「楽曲Ａ」、「楽曲Ｂ」、「楽曲Ｃ」という着信音データが音楽端末20にあるとする。この状況において、ユーザにより、「Ａ→Ｂ→Ｃ」を繰り返すという特定の順序が設定されていた場合、携帯電話機10は、着信ごとに、この順番で着信音データを指定する。
【００２１】
また、ランダム指定の場合は、着信ごとに、上記楽曲を「Ｃ→Ａ→Ｃ→Ｂ…」のようにランダムに指定する。ランダム指定によれば、ユーザによる事前の設定作業を省略することができ、携帯電話機10の利便性が向上する。
【００２２】
音楽端末20の着信音供給部22は、携帯電話機10から指定された着信音データを記憶部21から読み出し、それを近距離無線通信により携帯電話機10へ送信する（ステップS8）。
【００２３】
携帯電話機10の着信音取得部12は、音楽端末20から着信音データを受信すると、受信データをバッファメモリ13へ格納し（ステップS9）、このバッファリングの旨を音声出力部14へ通知する。なお、著作権保護の観点から、音楽端末20から取得した着信音データは、誤って外部へ送信されること等がないように、ＦＬＡＳＨメモリのような不揮発性メモリに保存しないことが望ましい。そのために、本実施形態において、音楽端末20から取得した着信音データは、ＲＡＭ（13）への一時保存としている。
【００２４】
音声出力部14は、今回取得した着信音データをバッファメモリ13から読み出し、それをデコードしてスピーカ15へ出力する。これにより、音楽端末20から取得したデータによる着信音が、スピーカ15から鳴動する（ステップS11）。
【００２５】
本実施形態によれば、携帯電話機10の回路規模やコストを抑えつつ、携帯電話機10において、より多くの着信音を取り扱うことができる。また、もともと音楽端末20が保持している音楽等のデータを、携帯電話機10の着信音データとして利用することができる。したがって、ユーザの利便性が高められる。
【００２６】
なお、上記実施形態は、着信音に適用するデータを携帯電話機10が音楽端末20に指定するという形態であったが、これに替えて、いずれの着信音を適用するかを音楽端末20が決定するようにしてもよい。例えば、前述の「Ａ→Ｂ→Ｃ」の繰り返しのように、特定の順序で着信音を変更する場合は、その順序を予め音楽端末20に設定しておく。また、着信音をランダムに変更する場合は、音楽端末20が、携帯電話機10から着信音データの要求を受けたとき、記憶部21のデータをランダムに選択し、それを携帯電話機10へ送信する。
【００２７】
音楽端末20が着信音データを決定するという上記形態において、携帯電話機10が音楽端末20へ発行する要求は、単に着信音データの要求を表すものであればよく、楽曲等の指定は不要である。よって、この形態によれば、着信時における携帯電話機10の処理負荷を軽減することができる。
【００２８】
上記システム100では、携帯電話機10及び音楽端末20間の無線通信として、近距離無線通信を用いたが、本発明を実施する際の両者間の無線通信は、上記形態に限らず、例えば、無線ＬＡＮや赤外線通信であってもよい。
【００２９】
また、本発明における電話端末は、データ端末との無線通信機能を持つものであれば、上記の携帯電話機10に限らず、有線の固定電話であってもよい。さらにまた、本発明におけるデータ端末は、電話端末との無線通信機能を持つものであれば、上記の音楽端末20に限らず、より大きな据え置き型の端末や、パーソナルコンピュータなどであってもよい。
【図面の簡単な説明】
【００３０】
【図１】本発明の実施形態におけるシステムの構成図である。
【図２】本発明の実施形態における各端末の機能構成を示すブロック図である。
【図３】本発明の実施形態の動作手順を示すフローチャートである。
【符号の説明】
【００３１】
100  システム
10  携帯電話機
20  音楽端末
11：通話部、12：着信音取得部、13：バッファメモリ、14：音声出力部、15：スピーカ、21：記憶部、22：着信音供給部
【図１】
2009177467.tif 000003
【図２】
2009177467.tif 000004
【図３】
2009177467.tif 000005